(57)【要約】【課題】  本発明は、ユーザの使い勝手を格段と向上し得る情報処理装置及びその方法並びにプログラムを提案する。【解決手段】  表示手段に対して入力手段が折り畳み自在に取り付けられ、当該入力手段の折り畳み時に表示手段の表示画面の一部が露出するようになされた情報処理装置及びその方法並びにプログラムにおいて、再生対象となる複数の楽曲にそれぞれノードを割り当てておき、当該各ノードを表示手段の表示画面の一部に所定の順番で表示させた後、複数のノードのうち指定されたノードに対応する楽曲についての関連情報を表示させるようにした。【選択図】        図９
2006072765.tif 000002
【特許請求の範囲】
【請求項１】
表示手段に対して入力手段が折り畳み自在に取り付けられ、当該入力手段の折り畳み時に上記表示手段の表示画面の一部が露出するようになされた情報処理装置において、
再生対象となる複数の楽曲にそれぞれノードを割り当てておき、当該各ノードを上記表示手段の上記表示画面の一部に所定の順番で表示させる表示制御手段
を具え、
上記表示制御手段は、複数の上記ノードのうち指定された上記ノードに対応する上記楽曲についての関連情報を表示させる
ことを特徴とする情報処理装置。
【請求項２】
上記表示制御手段は、
各上記ノードを再生モードに応じた順番で表示させておき、上記再生モードが変更されたとき、現在再生中の楽曲に対応する上記ノードを中心に順番を並び替える
ことを特徴とする請求項１に記載の情報処理装置。
【請求項３】
再生された上記楽曲の最終再生時間を記録する時間記録手段と、
上記時間記録手段の記録内容に基づいて、所定時間単位の時間帯ごとに上記楽曲を分類する楽曲分類手段と
を具え、
上記表示制御手段は、各上記時間帯に含まれる各上記楽曲に対応する上記ノードをそれぞれ表示させる
ことを特徴とする請求項１に記載の情報処理装置。
【請求項４】
予め設定された時刻になった時点で、予め指定された楽曲を再生するタイマ手段
を具え、
上記表示制御手段は、上記時点で再生される上記楽曲の音量を外部操作に応じて自由に設定する
ことを特徴とする請求項１に記載の情報処理装置。
【請求項５】
表示手段に対して入力手段が折り畳み自在に取り付けられ、当該入力手段の折り畳み時に上記表示手段の表示画面の一部が露出するようになされた電子機器の情報処理方法において、
再生対象となる複数の楽曲にそれぞれノードを割り当てておき、当該各ノードを上記表示手段の上記表示画面の一部に所定の順番で表示させる第１のステップと、
複数の上記ノードのうち指定された上記ノードに対応する上記楽曲についての関連情報を表示させる第２のステップと
を具えることを特徴とする情報処理方法。
【請求項６】
上記第１のステップでは、
各上記ノードを再生モードに応じた順番で表示させておき、上記再生モードが変更されたとき、現在再生中の楽曲に対応する上記ノードを中心に順番を並び替える
ことを特徴とする請求項５に記載の情報処理方法。
【請求項７】
上記第１のステップでは、
再生された上記楽曲の最終再生時間を記録しておき、当該記録内容に基づいて、所定時間単位の時間帯ごとに上記楽曲を分類し、各上記時間帯に含まれる各上記楽曲に対応する上記ノードをそれぞれ表示させる
ことを特徴とする請求項５に記載の情報処理方法。
【請求項８】
上記第１のステップでは、
予め設定された時刻になった時点で、予め指定された楽曲を再生するタイマ機能を有し、上記時点で再生される上記楽曲の音量を外部操作に応じて自由に設定する
ことを特徴とする請求項５に記載の情報処理方法。
【請求項９】
再生対象となる複数の楽曲にそれぞれノードを割り当てておき、当該各ノードを表示手段の表示画面に所定の順番で表示させる第１のステップと、
複数の上記ノードのうち指定された上記ノードに対応する上記楽曲についての関連情報を表示させる第２のステップと
各上記ノードを再生モードに応じた順番で表示させておき、上記再生モードが変更されたとき、現在再生中の楽曲に対応する上記ノードを中心に順番を並び替える第３のステップと
をコンピュータに実行させるためのプログラム。
【発明の詳細な説明】
【技術分野】
【０００１】
本発明は情報処理装置及びその方法並びにプログラムに関し、例えばデスクトップ型のパーソナルコンピュータに適用して好適なものである。
【背景技術】
【０００２】
従来、この種のデスクトップ型のパーソナルコンピュータとして、液晶ディスプレイ部の下端付近にキーボードが折り畳み自在に取り付けられ、不使用時には当該キーボードを液晶ディスプレイ部の表示領域の一部を覆い隠すように折り畳んで収納し得るようになされたものがある（例えば、特許文献１参照）。
【０００３】
かかるパーソナルコンピュータにおいては、キーボードの折り畳み時に、液晶ディスプレイ部の表示領域のうちキーボードにより覆い隠されることなく露出した部分（以下、これを露出表示領域と呼ぶ）に、時計表示、カレンダ表示又は壁紙表示等のユーザの好みに応じた表示内容を表示するようになされている。
【０００４】
さらにこのパーソナルコンピュータでは、キーボードの折り畳み時に音楽再生機器として使用する場合には、液晶ディスプレイ部の露出表示領域に音楽再生用のＧＵＩ（Graphical User Interface）を表示するようになされている。
【特許文献１】特開２００３−２７１２８０公報
【発明の開示】
【発明が解決しようとする課題】
【０００５】
ところで、かかるキーボードが折り畳み可能なパーソナルコンピュータにおいては、キーボードの折り畳み時に音楽を再生させる場合、例えばＷｉｎｄｏｗｓ（登録商標）等のＯＳ（Operating System）による管理下で音楽再生用のアプリケーションを起動させる必要がある。
【０００６】
このためキーボードの折り畳みをトリガとして音楽再生用のアプリケーションを起動させる場合には、当該アプリケーションが起動して音楽が再生されるまでに、一般的な音楽プレーヤを再生動作させる場合と比較して非常に時間がかかるという問題があった。
【０００７】
さらにキーボードを折り畳んだ状態における液晶ディスプレイ部の露出表示領域は比較的狭い領域であり、音楽再生用のＧＵＩとしては、現在再生中の曲名や操作内容のような簡易な内容しか表示されないことから、ユーザが再生可能な曲の数や内容を認識して所望の曲を選曲するといった操作を行うことが困難であるといった不便さがあった。
【０００８】
本発明は以上の点を考慮してなされたもので、ユーザの使い勝手を格段と向上し得る情報処理装置及びその方法並びにプログラムを提案しようとするものである。
【課題を解決するための手段】
【０００９】
かかる課題を解決するため本発明においては、表示手段に対して入力手段が折り畳み自在に取り付けられ、当該入力手段の折り畳み時に表示手段の表示画面の一部が露出するようになされた情報処理装置において、再生対象となる複数の楽曲にそれぞれノードを割り当てておき、当該各ノードを表示手段の表示画面の一部に所定の順番で表示させる表示制御手段を設け、表示制御手段は、複数のノードのうち指定されたノードに対応する楽曲についての関連情報を表示させるようにした。
【００１０】
この結果この情報処理装置では、表示画面の一部のような非常に狭い領域であっても最小限の表示内容を実現して、ユーザが直感的に所望の楽曲を容易に選択することができる。
【００１１】
また本発明においては、表示手段に対して入力手段が折り畳み自在に取り付けられ、当該入力手段の折り畳み時に表示手段の表示画面の一部が露出するようになされた電子機器の情報処理方法において、再生対象となる複数の楽曲にそれぞれノードを割り当てておき、当該各ノードを表示手段の表示画面の一部に所定の順番で表示させる第１のステップと、複数のノードのうち指定されたノードに対応する楽曲についての関連情報を表示させる第２のステップとを設けるようにした。
【００１２】
この結果この情報処理方法では、表示画面の一部のような非常に狭い領域であっても最小限の表示内容を実現して、ユーザが直感的に所望の楽曲を容易に選択することができる。
【発明の効果】
【００１３】
上述のように本発明によれば、表示手段に対して入力手段が折り畳み自在に取り付けられ、当該入力手段の折り畳み時に表示手段の表示画面の一部が露出するようになされた情報処理装置において、再生対象となる複数の楽曲にそれぞれノードを割り当てておき、当該各ノードを表示手段の表示画面の一部に所定の順番で表示させる表示制御手段を設け、表示制御手段は、複数のノードのうち指定されたノードに対応する楽曲についての関連情報を表示させるようにしたことにより、表示画面の一部のような非常に狭い領域であっても最小限の表示内容を実現して、ユーザが直感的に所望の楽曲を容易に選択することができ、かくしてユーザの使い勝手を格段と向上し得る情報処理装置を実現できる。
【００１４】
また本発明においては、表示手段に対して入力手段が折り畳み自在に取り付けられ、当該入力手段の折り畳み時に表示手段の表示画面の一部が露出するようになされた電子機器の情報処理方法において、再生対象となる複数の楽曲にそれぞれノードを割り当てておき、当該各ノードを表示手段の表示画面の一部に所定の順番で表示させる第１のステップと、複数のノードのうち指定されたノードに対応する楽曲についての関連情報を表示させる第２のステップとを設けたことにより、表示画面の一部のような非常に狭い領域であっても最小限の表示内容を実現して、ユーザが直感的に所望の楽曲を容易に選択することがで、かくしてユーザの使い勝手を格段と向上し得る情報処理方法を実現できる。
【発明を実施するための最良の形態】
【００１５】
以下図面について、本願発明の一実施の形態について説明する。
【００１６】
（１）本実施の形態によるパーソナルコンピュータの外観構成
図１（Ａ）〜（Ｃ）において、１は全体としてパーソナルコンピュータを示し、本体部２の前面部位に設けられた液晶ディスプレイ部３の下部付近に、キーボード部４がヒンジ機構５を介して折り畳み自在に取り付けられて構成されている。この液晶ディスプレイ部３の両側端には、それぞれスピーカ６Ｌ、６Ｒが一体となって取り付けられている。
【００１７】
このパーソナルコンピュータ１では、使用時にはキーボード部４を開かれた開状態にすることで（図１（Ａ））、液晶ディスプレイ部３の表示画面３Ａを全て露出させると同時にキーボード部４のキー配列面４Ａを安定位置に保持するようにして、ユーザが液晶ディスプレイ部３の表示画面３Ａを目視しながらキーボード部４を用いてキー入力し得るようになされている。
【００１８】
これに対してパーソナルコンピュータ１では、不使用時にはユーザがキーボード部４を把持したままヒンジ機構５を回転中心として矢印ａ方向に回転させながら（図１（Ｂ））、液晶ディスプレイ部３の表示画面３Ａにキーボード部４のキー配列面４Ａが対向するまで折り畳む（図１（Ｃ））。
【００１９】
このようにパーソナルコンピュータ１では、不使用時にはキーボード部４を液晶ディスプレイの表示画面３Ａの一部を覆い隠すように折り畳むようにして収納し得るようになされている。
【００２０】
（２）パーソナルコンピュータ１の内部構成
図２において、パーソナルコンピュータ１の内部構成を示し、ＣＰＵ１０と、当該ＣＰＵ１０と他のデバイスとの間で種々のデータ伝送を行うチップセット（Chipset）１１と、当該チップセット１１に接続された例えばＤＲＡＭ（Dynamic Random Access Memory）からなるメインメモリ１２とを有する。
【００２１】
チップセット１１は、各種メモリやＰＣＩ（Peripheral Component Interconnect）バス等の比較的高速動作を行うデバイスを制御する部分（以下、これをノースブリッジと呼ぶ）１１Ａと、ＩＳＡ（Industry Standard Architecture ）バスや各種インターフェイス等の比較的低速動作を行うデバイスを制御する部分（以下、これをサウスブリッジと呼ぶ）１１Ｂとからなる。
【００２２】
このうちノースブリッジ１１Ａには、ＣＰＵ１０がバス１３を介して接続されると共に、メインメモリ１２がメモリバス１４を介して内部のメモリコントローラ１５に接続され、さらにビデオコントローラ１６がインターフェース１７を介して接続されている。このビデオコントローラ１６には、液晶ディスプレイ部３が接続されており、ＣＰＵ１０の制御に応じて、ハードディスク等から再生されるビデオ信号に基づく映像を表示させ得るようになされている。
【００２３】
またサウスブリッジ１１Ｂには、ＢＩＯＳ（Basic Input/Output System）チップ１８及びハードディスクドライブ１９がそれぞれバス２０、２１を介して接続されると共に、オーディオコントローラ２２がインターフェース２３を介して接続されている。このオーディオコントローラ２２には、スピーカ６Ｌ、６Ｒが接続され、ＣＰＵ１０の制御に応じて、ハードディスク等から再生されるオーディオ信号に基づく音声を出力させ得るようになされている。
【００２４】
さらにサウスブリッジ１１Ｂには、ＩＳＡバス２４を介してＨ８マイコン２５が接続されている。かかるＨ８マイコン２５には、ＰＳ／２ポート２６を介してマウス２７が接続されると共に、キーボードポート２８を介してキーボード部４が接続され、さらには当該キーボード部４の開閉状態を検知するためのキーボード開閉スイッチ部２９が接続されている。
【００２５】
このキーボード開閉スイッチ部２９は、液晶ディスプレイ部３に内蔵された磁気感応型のスイッチ回路（図示せず）とキーボード部４に内蔵された永久磁石（図示せず）とから構成され、液晶ディスプレイ部３のスイッチ回路がキーボード部４の永久磁石による磁気に感応したか否かに応じてオン状態又はオフ状態に切り換わるようになされている。
【００２６】
従ってＣＰＵ１０には、キーボード開閉スイッチ部２９から、キーボード部４がヒンジ機構５を介して液晶ディスプレイ部３に折り畳まれているか否かを表す開閉状態信号Ｓ１が与えられる。かかるＣＰＵ１０は、開閉状態信号Ｓ１に基づいて現在のキーボード部４の状態を検知し、この検知結果とＲＯＭ（図示せず）に格納された各種制御プログラムとに基づいて対応する各種制御処理を実行する。
【００２７】
ここでＣＰＵ１０は、ハードディスクに予めインストールされているＯＳ（Operating System）等の基本プログラムをメインメモリ１２にロードして実行すると共に、当該ハードディスクに予めインストールされている種々のアプリケーションプログラムを自動的又はユーザの操作に応答してメインメモリ１２にロードして実行するようになされている。
【００２８】
実際にＣＰＵ１０によるオーディオデータに関する制御処理の概念図を図３に示す。この図３において、本実施の形態によるパーソナルコンピュータ１では、オーディオデータの制御処理を行うためのアプリケーションプログラムとして、第１〜第３のオーディオ制御プログラムがハードディスクドライブ１９（図２）内のハードディスクにインストールされている。
【００２９】
このうち第１のオーディオ制御プログラム３０は、通常のパーソナルコンピュータ１で使用されるオーディオ記録再生用のプログラムであり、音楽ＣＤの再生又は録音、インターネット上の音楽配信サービスの利用、オリジナル音楽ＣＤの作成や対応ポータブルプレーヤへの書き込みまで、ハードディスクに記録しておいたオーディオデータを種々の環境下で提供することができるものである。
【００３０】
また第２のオーディオ制御プログラム３１は、近年のＡＶ（Audio/Visual）の多様化に伴い、テレビ、音楽、静止画像及び動画像などのあらゆるコンテンツに対応し得るように、これらを単一の入力機器（マウス、キーボード又はリモコン等）を用いて容易に統括的に操作し得るようになされたオーディオ記録再生用のプログラムである。
【００３１】
さらに第３のオーディオ制御プログラム３２は、本実施の形態による常駐型（自動実行型）のオーディオ再生専用のプログラムであり、キーボード部４の折り畳み時（図１（Ｃ））に起動して常駐しながら、キーボード部４が開状態にされるまで又はパーソナルコンピュータ１がシャットダウンされるまで等の間、その機能を実行し続けるようになされている。
【００３２】
これら第１〜第３のオーディオ制御プログラム３０〜３２は、ハードディスク（図示せず）内のデータベース３３に登録されているオーディオデータのみ再生対象とするように設定されている。また第３のオーディオ制御プログラム３２は、上述した第２のオーディオ制御プログラム３１との間でオーディオデータについて連携を取り合うようになされている。
【００３３】
このデータベース３３には、ＣＰＵ１０の処理の一つであるフォルダ監視部３４の監視のもとで、予めユーザが登録対象として設定した設定対象フォルダ３５に格納されたオーディオデータのみが登録されるようになされている。すなわちフォルダ監視部３４は、設定対象フォルダ３５にオーディオデータが格納されるごとに、当該オーディオデータをデータベース３３に登録する。
【００３４】
（３）露出表示領域における音楽再生表示機能
本実施の形態の場合、パーソナルコンピュータ１においては、キーボード部４の折り畳み時（図１（Ｃ））に、液晶ディスプレイ部３の表示画面３Ａのうちキーボード部４により覆い隠された領域（以下、これを被覆表示領域と呼ぶ）３ＡＡ以外の露出した領域（以下、これを露出表示領域と呼ぶ）３ＡＢに種々の表示内容が表示されるようになされている。
【００３５】
具体的に液晶ディスプレイ部３の表示画面３Ａは、図４（Ａ）に示すように、幅1280〔pixel〕及び高さ768〔pixel〕の画像サイズでなり、上述の被覆表示領域３ＡＡ及び露出表示領域３ＡＢは、それぞれ高さが478〔pixel〕及び290〔pixel〕となるように予め設定されている。
【００３６】
かくしてキーボード部４を折り畳んだ場合には、図４（Ｂ）に示すように、液晶ディスプレイ部３の表示画面３Ａのうち被覆表示領域３ＡＡはキーボード部４により覆い隠される一方、露出表示領域３ＡＢは露出して表示される。
【００３７】
ここでＣＰＵ１０は、キーボード部４の折り畳み時に、上述した図３に示す第３のオーディオ制御プログラム３２を実行する際、液晶ディスプレイ部３の表示画面３Ａのうち露出表示領域３ＡＢには、図５に示すように、ユーザの使用状況に応じた表示内容を表す主画面Ｆ１〜Ｆ５のうちいずれかが表示されるようになされ、その後の使用状況に従って対応する表示内容の主画面Ｆ１〜Ｆ５に遷移するようになされている。
【００３８】
まずユーザがキーボード部４を折り畳むと、液晶ディスプレイ部３の表示画面３Ａのうち露出表示領域３ＡＢには、音楽再生の実行の有無に応じて、音楽非再生時表示限定画面Ｆ１又は音楽再生時表示限定画面Ｆ２のいずれかが表示される。
【００３９】
この音楽非再生時表示限定画面Ｆ１には、図６に示すように、時計、カレンダ、壁紙、ウェイクアップタイマ及びスリープタイマの各種機能のうち、ユーザの操作によりオン状態に設定された機能のみが表示されるようになされている。
【００４０】
この場合、音楽非再生時表示限定画面Ｆ１には、中央の右側及び左側にそれぞれ現在の時刻を表す時計表示部Ｍ１及び現在の月日を表すカレンダ表示部Ｍ２が表示されており、右上端にウェイクアップタイマ及びスリープタイマについての各設定時間及び対応するマークでなる表示部（以下、これをウェイクアップタイマ表示部Ｍ３及びスリープタイマ表示部Ｍ４と呼ぶ）それぞれ所定色で表示されている。なおこの図６では、ユーザの設定により壁紙機能はオフ状態にされているため、壁紙画像は表示されていない。
【００４１】
一方、音楽再生時表示限定画面Ｆ２には、図７に示すように、上述の音楽非再生時表示限定画面Ｆ１の表示内容に加えて、ライン状でなる音楽再生用のチューニングバーＴＢが露出表示領域３ＡＢの画面幅方向に沿って重畳表示されるようになされている。
【００４２】
これら音楽非再生時表示限定画面Ｆ１（図６）及び音楽再生時表示限定画面Ｆ２（図７）において、ユーザがマウス２７(図２)の操作を行った場合には、それぞれ音楽非再生時操作可能画面Ｆ３（図８）及び音楽再生時操作可能画面Ｆ４（図９）に遷移するようになされている。
【００４３】
この音楽非再生時操作可能画面Ｆ３には、図８に示すように、音楽ボタンＢＴ１、壁紙ボタンＢＴ２、時計ボタンＢＴ３、カレンダボタンＢＴ４、タイマボタンＢＴ５、隠すボタンＢＴ６及びバックライトボタンＢＴ７の各設定ボタンと、ウェイクアップタイマ表示部Ｍ３及びスリープタイマ表示部Ｍ４とが設けられている。
【００４４】
このうち音楽ボタンＢＴ１は、音楽再生モードをオン又はオフ状態に切り換えるためのトグルボタンであり、オン状態にされたときに、後述する音楽再生時操作可能画面Ｆ４（図９）に画面が遷移するようになされている。
【００４５】
また壁紙ボタンＢＴ２、時計ボタンＢＴ３及びカレンダボタンＢＴ４は、それぞれ壁紙機能、時計機能及びカレンダ機能をオン又はオフ状態に切り換えるためのトグルボタンである。さらにタイマボタンＢＴ５は、ウェイクアップタイマ及びスリープタイマの各設定を行うためのトグルボタンであり、オン状態にされたときに、後述するタイマ設定画面Ｆ５（図１０）に画面が遷移するようになされている。
【００４６】
さらに隠すボタンＢＴ６は、これらボタン群を消去するためのトグルボタンであり、オン状態にされたときに、上述した音楽非再生時表示限定画面Ｆ１（図６）に遷移するようになされている。バックライトボタンＢＴ７は、バックライトの点灯又は消灯を切り換えるためのトグルボタンであり、オン状態にされたときに、バックライトを消灯するようになされている。
【００４７】
一方、音楽再生時操作可能画面Ｆ４には、図９に示すように、上述の音楽非再生時操作可能画面Ｆ３の表示内容に加えて、帯状でなる楽曲選曲用のノード選曲表示部５０が画面幅方向に沿ってＧＵＩ（Graphical User Interface）として重畳表示されると共に、このノード選曲表示部５０の下段には、再生コントローラ５１、音量スライダ５２及びエフェクトボタン５３がそれぞれ設けられ、さらにノード選曲表示部５０の左上端には、再生モード変換ボタン５４が設けられている。
【００４８】
かかるノード選曲表示部５０は、露出表示領域３ＡＢの画面幅方向に沿って１列に順次所定間隔でノードＮＤが表示されており、当該各ノードＮＤには１曲単位で各種の再生モードに応じて指定された楽曲が割り当てられている。
【００４９】
このノード選曲表示部５０では、複数のノードＮＤの左右両端にはそれぞれスクロールボタンＳＢＬ、ＳＢＲが設けられ、現在の再生モードで再生対象となる複数の楽曲の数が多いために、対応する全てのノード（以下、これをノードリストと呼ぶ）ＮＤがノード選曲表示部５０に表示されない場合に、かかる画面外に存在するノードリストを画面内に表示し得るようになされている。
【００５０】
この場合、ユーザがマウス２７を用いて、右側のスクロールボタンＳＢＲにカーソルを合わせて押下すると、ノードリスト全体が画面左側に移動する一方、左側のスクロールボタンＳＢＬにカーソルを合わせて押下すると、ノードリスト全体が画面右側に移動するようになされている。
【００５１】
続いてユーザがマウス２７（図２）を用いて、ノード選曲表示部５０内における所望のノードＮＤ又は当該ノードＮＤと画面高さ方向を同じにする所望部位にカーソルを合わせる（すなわちマウスオーバーする）と、そのノードＮＤに割り当てられた楽曲に共通するプロパティ（楽曲名、アーティスト名やジャンル名など）が表示されるようになされている。
【００５２】
そしてユーザがマウス２７を用いて、所望のノードＮＤにカーソルを合わせた状態で押下すると、そのノードに割り当てられている楽曲の再生を開始するようになされている。
【００５３】
また再生コントローラ５１は、再生・一時停止ボタン５１Ａ、曲戻しボタン５１Ｂ及び曲送りボタン５１Ｃからなる。このうち再生・一時停止ボタン５１Ａは、一時停止状態の場合には再生を開始する一方、再生状態の場合には一時停止状態にするためのボタンである。
【００５４】
また曲戻しボタン５１Ｂは、再生状態の場合には再生中の曲の先頭から再生を行う一方、一時停止状態の場合には前の曲の先頭で一時停止状態とするためのボタンである。なお曲戻しボタン５１Ｂが再生状態で連続して１秒以内に押下された場合には、一つ前の曲の先頭から再生が開始される。
【００５５】
さらに曲送りボタン５１Ｃは、再生状態の場合には再生中の曲の次の曲を再生する一方、一時停止状態の場合には次の曲の先頭で一時停止状態とするためのボタンである。
【００５６】
さらに再生モード変換ボタン５４は、再生モードを切り換えるためのボタンでなり、ユーザがマウス２７により押下すると、図１０に示すような再生モード選択画面Ｆ６が当該再生モード変換ボタン５４の配置箇所にポップアップ表示される。
【００５７】
この図１０に示す再生モード選択画面Ｆ６は、「全曲シャッフル」、「アルバムシャッフル」、「アーティスト」、「ジャンル」、「アルファベット順」、「マイミュージックライフ」及び「ＣＤ」の各再生モードの設定ボタンから構成されている。
【００５８】
まず「全曲シャッフル」の再生モードでは、再生対象となる全ての楽曲を所定数（例えば５００曲）単位でランダムに配置して、当該配置した順番で各楽曲に対応するノードＮＤを一列に並べて表示するようになされている。
【００５９】
また「アルバムシャッフル」の再生モードでは、再生対象となる全ての楽曲について、アルバム単位でランダムに並べ、かつそのアルバム中の楽曲は正順で並べるようにして、当該並べられた順番で各楽曲に対応するノードＮＤを表示するようになされている。
【００６０】
さらに「アーティスト」の再生モードでは、再生対象となる全ての楽曲のうち、アーティストの名称の正順（イニシャルに対応）で並べ、かつ当該アーティストに含まれる楽曲をシャッフルするようにして、当該並べられた順番で各楽曲に対応するノードＮＤを表示するようになされている。
【００６１】
さらに「ジャンル」の再生モードでは、再生対象となる全ての楽曲のうち、ジャンルの名称の正順で並べ、かつアーティストに含まれる曲をシャッフルするようにして、当該並べられた順番で各楽曲に対応するノードＮＤを表示するようになされている。
される。
【００６２】
さらに「アルファベット順」の再生モードでは、再生対象となる全ての楽曲のうち、アーティストをイニシャル順に並べ、かつ当該アーティストの中のアルバムをアルバムタイトルのアルファベット順で並べる（その中の曲は正順で並べる）ようにして、当該並べられた順番で各楽曲に対応するノードＮＤを表示するようになされている。
【００６３】
さらに「マイミュージックライフ」の再生モードでは、再生された楽曲の最終再生時間を時分単位（年月日を除く）で記録しておき、当該時間情報に基づいて1時間単位の時間帯ごとに楽曲をソート（分類）するようにして、各時間帯に含まれる楽曲に対応するノードＮＤを時系列の順番で表示するようになされている。
【００６４】
なおこの「マイミュージックライフ」の再生モードでは、一回も再生されたことのない楽曲はソートの対象外となり、ノードリストとして表示されることはない。また「再生された」というのは、この第３のオーディオ制御プログラム３２の中だけに限るのではなく、対応している他のアプリケーション（例えば第２のオーディオ再生プログラム３３）で再生された場合にもその時間情報が反映されるようになされている。
【００６５】
さらに「ＣＤ」の再生モードでは、装填されたＣＤのトラックが正順で並べられ、当該並べられた順番で各楽曲に対応するノードＮＤを表示するようになされている。
【００６６】
さらに音量インジケータ５２は、音量の調整を行うためのボタンであり、ユーザがマウス２７を用いてカーソルを合わせて所望の音量が得られる方向にドラッグするようにして調整が行われる。
【００６７】
なお、これら音楽非再生時操作可能画面Ｆ３（図８）及び音楽再生時操作可能画面Ｆ４（図９）では、音楽ボタンＢＴ１がオン状態又はオフ状態に切り換えられるごとに相互に遷移するようになされている。
【００６８】
また、これら音楽非再生時操作可能画面Ｆ３（図８）及び音楽再生時操作可能画面Ｆ４（図９）において、隠すボタンＢＴ６が押下された場合のみならず、ユーザによりマウス２７(図２)の操作が所定時間なかった場合にも、それぞれ音楽非再生時表示限定画面Ｆ１（図６）及び音楽再生時表示限定画面Ｆ２（図７）に遷移するようになされている。
【００６９】
さらにこれら音楽非再生時操作可能画面Ｆ３（図８）及び音楽再生時操作可能画面Ｆ４（図９）において、タイマ設定ボタンＢＴ３が押下されたときには、図１１に示すようなタイマ設定画面Ｆ５に遷移する。
【００７０】
この図１１に示すタイマ設定画面Ｆ５では、「ウェイクアップタイマ」及び「スリープタイマ」の設定項目欄Ｍ５、Ｍ６を有し、当該各設定項目欄Ｍ５、Ｍ６の上段には、タイマ機能をオン又はオフ状態に設定するためのチェックボックスＣＢ１、ＣＢ２がそれぞれ設けられている。
【００７１】
この「ウェイクアップタイマ」の設定項目欄Ｍ５では、時分ごとにそれぞれインクリメント又はデクリメントさせて設定するための上下ボタンと、各曜日を指定するためのボタン群とが、共にＧＵＩ表示された時刻入力欄Ｍ５Ａが設けられている。
【００７２】
またこの時刻入力欄Ｍ５Ａの下段には、ウェイクアップタイマで再生される音楽を設定するためのサウンド設定欄Ｍ５Ｂが設けられている。かかるサウンド設定欄Ｍ５Ｂは、以前タイマ用に設定された曲のタイトルを表示するためのテキストボックスと、「再生中の曲に変更する」と表示されたボタンとからなる。このボタンを押下すると、テキストボックスに表示されたタイマ用に設定された曲のタイトルが、現在再生中の曲のタイトルに変化し、ウェイクアップタイマの際の音楽が変更される。
【００７３】
このサウンド設定欄Ｍ５Ｂの下段には、ウェイクアップタイマの音量を調整するためのサウンド音量設定欄Ｍ５Ｃが設けられている。このサウンド音量設定欄Ｍ５Ｃは、最小音量から最大音量までの間の音量バー上をスライダを移動させるようにして所望音量に調整する構成からなる。この結果、ウェイクアップタイマを起動させて音楽を再生する際に、通常の再生時とは異なる音量に調整することができる。
【００７４】
また「スリープタイマ」の設定項目欄Ｍ６では、スリープタイマのスリープするまでの時刻を設定するためのスリープ時刻設定欄Ｍ６Ａが設けられており、具体的には「５分後」、「１５分後」、「３０分後」、「４５分後」、「１時間後」及び「２時間後」の６種類のラジオボタン群から構成されている。
【００７５】
このスリープ時刻設定欄Ｍ６の下段には、スリープタイマのカウントダウンをリセットするためのリセットボタンＭ６Ｂが「カウントダウンをリセットする」と表示されている。なお、既にカウントダウンが始まっている場合には、リセットボタンＭ６Ｂが押下された時点でカウントダウンの時間がリセットされて再度カウントダウンが始まるようになされている。
【００７６】
このタイマ設定画面Ｆ５の中央下端には、変更された設定内容を反映して当該タイマ設定画面Ｆ５を閉じるための閉じるボタンＢＴ１０が設けられている。
【００７７】
（４）再生モード変更処理
ここで図９に示す音楽再生時操作可能画面Ｆ４において、ユーザが再生モード変更ボタン５４を押下して再生モード選択画面Ｆ６（図１０）を表示させた状態で、「全曲シャッフル」、「アルバムシャッフル」、「アーティスト」、「ジャンル」、「アルファベット順」、「マイミュージックライフ」及び「ＣＤ」の各再生モードのうちから現在の再生モードと異なる所望の再生モードに変更することができる。
【００７８】
またその再生モードの変更時に現在楽曲が再生中であっても、かかる再生中の楽曲は停止状態にされることなく、そのまま再生されたまま、当該楽曲をノード選曲表示部５０のノードリストの中心で表示させ得るようになされている。
【００７９】
（５）本実施の形態の動作及び効果
以上の構成において、このパーソナルコンピュータ１では、キーボード部４の折り畳み時に液晶ディスプレイ部３の表示画面３Ａに表示される露出表示領域３ＡＢには、所望の楽曲を再生中にユーザの操作に応じて音楽再生時操作可能画面Ｆ４が表示される。
【００８０】
このとき音楽再生時操作可能画面Ｆ４には、再生対象となる複数の楽曲をそれぞれ1曲単位でノードＮＤとして割り当てておき、これら複数のノードＮＤを再生モードに応じた順番で配列して表示させる。このように楽曲の実体をノードＮＤで表現するようにしたことにより、露出表示領域３ＡＢのような非常に狭い領域であっても最小限の表示内容でなるＧＵＩを実現することができる。
【００８１】
そしてユーザがマウス２７を用いて音楽再生時操作可能画面Ｆ４内で所望のノードＮＤを選択すると、当該ノードＮＤに割り当てられた楽曲に関するプロパティ（楽曲名やアーティスト名等）を表示することにより、ユーザは直感的に再生リスト全体の情報を把握して、再生する楽曲を容易に選択することができる。
【００８２】
またキーボード部４の折り畳みをトリガとして音楽再生用のアプリケーションを起動させる場合に、パーソナルコンピュータ１で使用されるオーディオ記録再生用のプログラム（第１のオーディオ制御プログラム３０）ではなく、楽曲のデータベース３３のみを共通にする常駐型のオーディオ再生専用のプログラム（第３のオーディオ制御プログラム３２）を適用したことにより、アプリケーションの起動してから音楽が再生されるまでの時間を格段と短縮することができる。
【００８３】
さらに再生モードの一つとして、ユーザに固有の「マイミュージックライフ」の再生モードを設け、再生された楽曲の最終再生時間を時分単位（年月日を除く）で記録しておき、当該時間情報に基づいて1時間単位の時間帯ごとに楽曲をソート（分類）するようにして、各時間帯に含まれる楽曲に対応するノードを時系列の順番で表示するようにしたことにより、ユーザは一日２４時間の時間軸の中での自分の音楽再生を確認することができ、アミューズメント性を格段と向上させることができる。
【００８４】
さらにウェイクアップタイマーを用いて常駐のオーディオ再生専用のプログラムである第３のオーディオ制御プログラム３２を起動させる際に、通常再生とは異なる音量を設定できるようにしたことにより、ウェイクアップ時の利便性を格段と向上することができる。
【００８５】
以上の構成によれば、このパーソナルコンピュータ１において、キーボード部４の折り畳み時に液晶ディスプレイ部３の露出表示領域３ＡＢに表示される音楽再生時操作可能画面Ｆ４に、再生対象となる各楽曲がそれぞれ割り当てられたノードＮＤを再生モードに応じた順番で配列して表示すると共に、任意のノードＮＤが選択された際に当該ノードＮＤに対応する楽曲に関するプロパティ（楽曲名やアーティスト名等）を表示するようにしたことにより、露出表示領域３ＡＢのような非常に狭い領域であっても最小限の表示内容でなるＧＵＩを実現して、ユーザが直感的に所望の楽曲を容易に選択することができ、かくしてユーザの使い勝手を格段と向上し得るパーソナルコンピュータ１を実現できる。
【００８６】
（６）他の実施の形態
なお上述の本実施の形態においては、本発明を、液晶ディスプレイ部（表示手段）３に対してキーボード部（入力手段）４が折り畳み自在に取り付けられ、当該キーボード部（入力手段）４の折り畳み時に液晶ディスプレイ部（表示手段）３の表示画面３Ａの一部が露出するようになされた情報処理装置であるデスクトップ型のパーソナルコンピュータ１に適用するようにした場合について述べたが、本発明はこれに限らず、表示領域が限られた表示手段を有する電子機器に広く適用することができる。
【００８７】
また上述の本実施の形態においては、再生対象となる複数の楽曲にそれぞれノードを割り当てておき、当該各ノードＮＤを液晶ディスプレイ部（表示手段）３の表示画面３Ａの一部（すなわち露出表示領域３ＡＢ）に所定の順番で表示させる表示制御手段として、ＣＰＵ１０を適用し、当該ＣＰＵ１０は、複数のノードＮＤのうち指定されたノードＮＤに対応する楽曲についてのプロパティ（関連情報）を表示させるようにした場合について述べたが、この他種々の構成からなる表示制御手段に広く適用することができる。
【００８８】
なお本実施の形態では、ノードＮＤの形状や色等については言及していないが、ノードＮＤの色、明度、質感、形、大きさなどによって、楽曲のプロパティを表現するようにしても良い。また楽曲のプロパティ（関連情報）としては、楽曲名、アーティスト名及びジャンル名に限らず、再生回数や最終再生日時なども含めるようにしても良い。
【００８９】
例えば、再生回数によってノードＮＤの明度を変化させて表示しても良く、また最終再生日時からの経過時間によってノードＮＤの大きさを変化させて表示しても良い。さらにはジャンルによってノードＮＤの質感を変化させて表示しても良い。さらにはノードＮＤを位置移動やアニメーション技法により変化させることにより、再生時の効果を高めるようにしても良い。またノードＮＤをごみ箱にマウス２７を用いてドラッグアンドドロップするようにして楽曲（楽曲情報及びファイル）を削除するようにしても良い。
【００９０】
またノードＮＤの指定などをマウス２７を用いて行うようにした場合について述べたが、本発明はこれに限らず、リモートコントローラや本体部に搭載したジョグダイヤル等の種々の操作手法を用いるようにしても良い。
【００９１】
さらに上述の実施の形態においては、ＣＰＵ（表示制御手段）１０は、各ノードＮＤを再生モードに応じた順番で表示させておき、再生モードが変更されたとき、現在再生中の楽曲に対応するノードＮＤを中心に順番を並び替えるようにした場合について述べたが、本発明はこれに限らず、要は、現在再生されている楽曲を基準として再生モードを変更するのであれば、この他種々の手法を適用するようにしても良い。
【００９２】
さらに上述の実施の形態においては、再生された楽曲の最終再生時間を記録するハードディスクドライブ（時間記録手段）１９と、ハードディスクドライブ（時間記録手段）１９の記録内容に基づいて、所定時間（例えば１時間）単位の時間帯ごとに楽曲を分類するＣＰＵ（楽曲分類手段）１０とを設け、ＣＰＵ（表示制御手段）１０は、各時間帯に含まれる各楽曲に対応するノードＮＤをそれぞれ表示させるようにした場合について述べたが、本発明はこれに限らず、要は、ユーザが自己の聴音履歴（いわゆる音楽ライフ）を所定時間単位の時間帯ごとに認識することができれば、この他種々の構成のものを適用するようにしても良い。
【００９３】
さらに上述の実施の形態においては、予め設定された時刻になった時点で、予め指定された楽曲を再生するウェイクアップタイマ（タイマ手段）を設け、ＣＰＵ（表示制御手段）１０は、時点で再生される楽曲の音量を外部操作に応じて自由に設定するようにした場合について述べたが、本発明はこれに限らず、要は音楽を再生する際に、通常再生時とは異なる音量に設定しておき、ウェイクアップ時の利便性を高めることができれば、この他種々の構成のものを適用するようにしても良い。
【産業上の利用可能性】
【００９４】
本発明は、液晶ディスプレイを有するパーソナルコンピュータのほか、この他種々の情報処理装置に広く適用することができる。
【図面の簡単な説明】
【００９５】
【図１】本実施の形態によるパーソナルコンピュータの外観構成を示す斜視図である。
【図２】本実施の形態によるパーソナルコンピュータの内部構成を示すブロック図である。
【図３】オーディオデータの制御処理の説明に供する概念図である。
【図４】キーボード部の開閉に応じた液晶ディスプレイ部の表示画面の様子を表す略線的な平面図である。
【図５】露出表示領域の画面遷移状態の説明に供する概念図である。
【図６】音声非再生時表示限定画面の表示状態の説明に供する平面図である。
【図７】音声再生時表示限定画面の表示状態の説明に供する平面図である。
【図８】音声非再生時操作可能画面の表示状態の説明に供する平面図である。
【図９】音声再生時操作可能画面の表示状態の説明に供する平面図である。
【図１０】再生モード選択画面の表示状態の説明に供する平面図である。
【図１１】タイマ設定画面の表示状態の説明に供する平面図である。
【符号の説明】
【００９６】
１……パーソナルコンピュータ、２……本体部、３……液晶ディスプレイ部、３Ａ……表示画面、３ＡＢ……露出表示領域、４……キーボード部、５……ヒンジ機構、６Ｌ、６Ｒ……スピーカ、１０……ＣＰＵ、１９……ハードディスクドライブ、２７……マウス、３０〜３２……第１〜第３のオーディオ制御プログラム、３３……データベース、Ｆ１……音声非再生時表示限定画面、Ｆ２……音声再生時表示限定画面、Ｆ３……音声非再生時操作可能画面、Ｆ４……音声再生時操作可能画面、Ｆ５……タイマ設定画面、Ｆ６……再生モード選択画面。
【図１】
2006072765.tif 000003
【図２】
2006072765.tif 000004
【図３】
2006072765.tif 000005
【図４】
2006072765.tif 000006
【図５】
2006072765.tif 000007
【図６】
2006072765.tif 000008
【図７】
2006072765.tif 000009
【図８】
2006072765.tif 000010
【図９】
2006072765.tif 000011
【図１０】
2006072765.tif 000012
【図１１】
2006072765.tif 000013